【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】
隣接する複数の衛星からの電波を受信するマルチビームアンテナにより受信される電波を順次切り換えて受信レベルを検出し、該検出したそれぞれの受信レベルのレベル状態を比較して適切なアンテナの設置方向を報知するようにしたことを特徴とするマルチビームアンテナの方向調整方法。
【請求項２】
前記複数の衛星から受信した電波の受信レベルを同時に表示する表示手段を備えたこと
を特徴とする請求項１に記載のマルチビームアンテナの方向調整方法。
【請求項３】
前記複数の衛星から受信した電波の受信レベルは、手動で順次切り換えて表示すること
を特徴とする請求項１に記載のマルチビームアンテナの方向調整方法。
【請求項４】
前記適切なアンテナの設置方向の報知は、テキストデータで表示すること
を特徴とする請求項１に記載のマルチビームアンテナの方向調整方法。
【請求項５】
前記適切なアンテナの設置方向の報知は、音声を含む音により行うこと
を特徴とする請求項１に記載のマルチビームアンテナの方向調整方法。
【請求項６】
前記マルチビームアンテナにより受信される電波の順次切り換えは、切り換え周期を自動又は手動で変化できるようにしたこと
を特徴とする請求項１に記載のマルチビームアンテナの方向調整方法。
【請求項７】
隣接する複数の衛星からの電波を受信するマルチビームアンテナと、前記マルチビームアンテナで受信された電波から所望の電波を選択して適宜処理して音声／映像信号に変換するセットトップボックスと、前記セットトップボックスで処理された音声／映像信号を表示するモニタ装置とからなり、
前記マルチビームアンテナで受信された複数の電波を前記セットトップボックスで順次切り換えて各電波の受信レベルを検出し、該検出したそれぞれの受信レベルのレベル状態を比較して前記モニタ装置に適切なアンテナの設置方向を報知すること
を特徴とするマルチビームアンテナ方向調整機器。
【請求項８】
前記各電波の受信レベルは、同時に表示することができること
を特徴とする請求項７に記載のマルチビームアンテナ方向調整機器。
【請求項９】
前記セットトップボックスにおける切り換えは、手動で行うこと
を特徴とする請求項７に記載のマルチビームアンテナ方向調整機器。
【請求項１０】
前記適切なアンテナの設置方向の報知は、テキストデータで表示すること
を特徴とする請求項７に記載のマルチビームアンテナ方向調整機器。
【請求項１１】
前記適切なアンテナの設置方向の報知は、音声を含む音により行うこと
を特徴とする請求項７に記載のマルチビームアンテナ方向調整機器。
【請求項１２】
前記マルチビームアンテナにより受信される電波の順次切り換えは、切り換え周期を自動又は手動で変化できるようにしたこと
を特徴とする請求項７に記載のマルチビームアンテナ方向調整機器。
【手続補正２】
【補正対象書類名】明細書
【補正対象項目名】０００４
【補正方法】変更
【補正の内容】
【０００４】
この時のアンテナ１００ａを左右に移動させた時の受信レベルをグラフに示すと、図９のように、衛星１０ａからの電波とアンテナ１００ａのコンバータ１２０ａ正面が正しく向き合う位置Ｍで最高の受信レベルとなり、この位置から左又は右にずれるほど受信レベルが小さくなり、ある位置を越えると受信できなくなるというように左右対称な軌跡を描く。従って、シングルビームアンテナ１００ａで受信した電波をチューナ等のセットトップボックスに送り、受信レベルを検出してモニタ装置に表示させ、受信レベルが最大となる箇所をモニタ装置で確認しながら受信レベルが最大となる最適な設置方向にアンテナ１００ａを固定する。
【手続補正３】
【補正対象書類名】明細書
【補正対象項目名】００１０
【補正方法】変更
【補正の内容】
【００１０】
このようなマルチビームアンテナ１００ｂで２つの衛星１０ｂ、２０ｂからの電波を受信した場合の受信レベルをグラフで表すと図１１に示すようになる。隣接衛星妨害がないとすれば、シングルビームアンテナの受信レベルと同様な左右対称な軌跡を描くグラフ（図９参照）が２つ存在することになる（図１１の点線部分参照）。しかし、隣接衛星妨害により、それぞれの衛星からの受信レベルが最高レベルとなる位置Ｍｘ、Ｍｙから隣接する衛星（１０ｂ、２０ｂ）の方向においては、隣接する衛星からの電波の影響により急激に受信レベルが低下する現象が起きる（図１１の実線部分参照）。例えば、図１２に示すような２つの衛星１０ｂ、２０ｂからの電波を受ける最適な方向から右にずれてアンテナを設置してしまうと、隣接衛星妨害の影響により衛星からの電波の受信レベルが低い状態となってしまう。
【手続補正４】
【補正対象書類名】明細書
【補正対象項目名】００１６
【補正方法】変更
【補正の内容】
【００１６】
（７）隣接する複数の衛星からの電波を受信するマルチビームアンテナと、前記マルチビームアンテナで受信された電波から所望の電波を選択して適宜処理して音声／映像信号に変換するセットトップボックスと、前記セットトップボックスで処理された音声／映像信号を表示するモニタ装置とからなり、前記マルチビームアンテナで受信された複数の電波を前記セットトップボックスで順次切り換えて各電波の受信レベルを検出し、該検出したそれぞれの受信レベルのレベル状態を比較して前記モニタ装置に適切なアンテナの設置方向を報知することを特徴とするマルチビームアンテナ方向調整機器。
（８）前記各電波の受信レベルは、同時に表示することができることを特徴とする（７）に記載のマルチビームアンテナ方向調整機器。
（９）前記セットトップボックスにおける切り換えは、手動で行うことを特徴とする（７）に記載のマルチビームアンテナ方向調整機器。
（１０）前記適切なアンテナの設置方向の報知は、テキストデータで表示することを特徴とする（７）に記載のマルチビームアンテナ方向調整機器。
（１１）前記適切なアンテナの設置方向の報知は、音声を含む音により行うことを特徴とする（７）に記載のマルチビームアンテナ方向調整機器。
（１２）前記マルチビームアンテナにより受信される電波の順次切り換えは、切り換え周期を自動又は手動で変化できるようにしたことを特徴とする（７）に記載のマルチビームアンテナ方向調整機器。
【手続補正５】
【補正対象書類名】明細書
【補正対象項目名】００２１
【補正方法】変更
【補正の内容】
【００２１】
ＳＴＢ２００（セットトップボックス）の受信電波を処理する主要部は、図２に示すように、マルチビームアンテナ１００のコンバータ１２０を介して受信したＸ衛星１０とＹ衛星２０の電波が入力されるＩＦ入力部２１０と、２つの衛星のうち希望する衛星の受信回路に切り換えるための矩形パルス（約４０ｋＨｚ）を発生させる衛星切換制御部２２１と受信する電波の偏波面を切り換える偏波切換制御部２２２を有するコンバータ用ＤＣ電源回路２２０と、ＩＦ入力部２１０からの受信電波から音声／映像信号に変換する前処理を行い、図示しない後段信号処理系へ送る信号処理部２３１と信号処理部２３１で処理された信号から受信レベルを検出するレベル検出部２３２を有するフロントエンド部２３０と、２つの衛星からの受信電波を交互に切り換えを行う切換回路２４０と、フロントエンド部２３０のレベル検出部２３２と切換回路２４０とにより受信電波がＸ衛星１０とＹ衛星２０の何れかを判別してユーザＩＦ部２６０に送る判別部２５０と、判別部２５０及びホストプロセッサ２７０からの指示により衛星の名称や現在の受信レベル、最大受信レベル、アンテナ１００の調整方向等を数値やグラフや音などの表示信号としてモニタ装置３００に送るＯＳＤ２６１を有するユーザＩＦ部２６０と、ＳＴＢ２００内の各部の制御を行うホストプロセッサ２７０と、ＳＴＢ２００内で処理された音声／映像信号をそれぞれ映像出力、音声出力としてモニタ装置３００に出力するＡＶ出力部２８０とを備えている。
【手続補正６】
【補正対象書類名】明細書
【補正対象項目名】００３２
【補正方法】変更
【補正の内容】
【００３２】
又、２つの衛星が同じ周波数帯の電波を用いているので、本来受信すべきではない方の衛星の電波を受信して方向調整をしまう時（図１３参照）もある。このような状態では、電波を受信していない方の衛星からの受信レベルが無いので、表２に示すような調整方向の報知を行うことが可能である。
【手続補正７】
【補正対象書類名】図面
【補正対象項目名】図２
【補正方法】変更
【補正の内容】
【図２】
2002124815.tif 000001
【手続補正８】
【補正対象書類名】図面
【補正対象項目名】図１２
【補正方法】変更
【補正の内容】
【図１２】
2002124815.tif 000002